(57)【要約】【課題】コンテンツ情報の閲覧性を犠牲にすることなくコンテンツ画像の視認性を向上させることが可能な表示装置、表示装置の制御方法およびプログラムを提供する。【解決手段】本発明の表示装置１は、各コンテンツに関連するコンテンツ画像を含み且つ所定の幅を有する単位領域を、その幅方向に並べて表示するコンテンツ一覧表示部１６０と、隣り合う単位領域に表示されるコンテンツ画像が同一か否かを判別する画像判別部１５０と、画像判別部１５０の判別結果に基づき、同一のコンテンツ画像が表示される単位領域を複合した複合領域単位で、当該コンテンツ画像を表示する表示制御部１２０と、を備えた。【選択図】図１
2015158807.tif 000002
【特許請求の範囲】
【請求項１】
各コンテンツに関連するコンテンツ画像を含み且つ所定の幅を有する単位領域を、その幅方向に並べて表示するコンテンツ一覧表示部と、
隣り合う前記単位領域に表示される前記コンテンツ画像が同一か否かを判別する画像判別部と、
前記画像判別部の判別結果に基づき、同一のコンテンツ画像が表示される前記単位領域を複合した複合領域単位で、当該コンテンツ画像を表示する表示制御部と、を備えたことを特徴とする表示装置。
【請求項２】
前記表示制御部は、前記複合領域の前記幅方向における長さが、所定サイズの前記コンテンツ画像の縦または横の長さよりも長い場合、当該所定サイズのコンテンツ画像を前記複合領域内に繰り返し表示することを特徴とする請求項１に記載の表示装置。
【請求項３】
前記表示制御部は、前記複合領域の前記幅方向における長さが、所定サイズの前記コンテンツ画像の縦または横の長さよりも長い場合、当該所定サイズのコンテンツ画像を１つだけ前記複合領域の中央に表示することを特徴とする請求項１に記載の表示装置。
【請求項４】
前記表示制御部は、前記複合領域の前記幅方向における長さが、所定サイズの前記コンテンツ画像の縦または横の長さよりも長い場合、前記複合領域全体に当該コンテンツ画像の全体を表示できるように、当該コンテンツ画像のサイズおよびアスペクト比を変更することを特徴とする請求項１に記載の表示装置。
【請求項５】
前記コンテンツ一覧表示部は、前記単位領域を縦方向に列記すると共に、各単位領域と同一行に、対応するコンテンツのコンテンツ関連情報を表示することを特徴とする請求項１ないし４のいずれか１項に記載の表示装置。
【請求項６】
前記コンテンツ一覧表示部は、前記単位領域または前記複合領域の前記幅方向における長さが、所定サイズの前記コンテンツ画像の縦方向の長さよりも短い場合、当該所定サイズのコンテンツ画像の上端から、前記単位領域または前記複合領域の幅方向における長さ分だけ表示することを特徴とする請求項５に記載の表示装置。
【請求項７】
前記表示制御部は、前記単位領域または前記複合領域の前記幅方向における長さが、所定サイズの前記コンテンツ画像の縦または横の長さよりも短い場合、前記単位領域内または前記複合領域内で、当該所定サイズのコンテンツ画像を前記幅方向に自動スクロール表示することを特徴とする請求項１ないし５のいずれか１項に記載の表示装置。
【請求項８】
前記表示制御部は、前記単位領域または前記複合領域に表示された前記コンテンツ画像の選択操作により、当該コンテンツ画像の全体を、前記単位領域外または前記複合領域外に表示することを特徴とする請求項１ないし５のいずれか１項に記載の表示装置。
【請求項９】
前記表示制御部は、前記複合領域がＮ個以上（但し、Ｎは２以上の整数）の前記単位領域から構成される場合であって、前記複合領域の前記幅方向における長さが、所定サイズの前記コンテンツ画像の縦または横の長さよりも短い場合、規定のアスペクト比で前記コンテンツ画像の全体を表示できるように、当該コンテンツ画像のサイズを縮小することを特徴とする請求項１ないし５のいずれか１項に記載の表示装置。
【請求項１０】
各コンテンツに関連するコンテンツ画像を含み且つ所定の幅を有する単位領域を、その幅方向に並べて表示するコンテンツ一覧表示ステップと、
隣り合う前記単位領域に表示される前記コンテンツ画像が同一か否かを判別する画像判別ステップと、
前記画像判別ステップの判別結果に基づき、同一のコンテンツ画像が表示される前記単位領域を複合した複合領域単位で、当該コンテンツ画像を表示する表示制御ステップと、を実行することを特徴とする表示装置の制御方法。
【請求項１１】
コンピューターに、請求項１０に記載の表示装置の制御方法における各ステップを実行させるためのプログラム。
【発明の詳細な説明】
【技術分野】
【０００１】
本発明は、楽曲や映像などのコンテンツに関連するコンテンツ画像を並べて表示する表示装置、表示装置の制御方法およびプログラムに関する。
【背景技術】
【０００２】
従来、この種の技術として、例えば、特許文献１が知られている。特許文献１では、あたかもラックに複数枚のＣＤジャケットが立てて並べられたイメージとなるように、タイトル部分を前面にして薄板状の物体を横方向に配列表示する。そして、配列方向にマウスポインタが移動されると、ＣＤジャケットを捲るように順次ジャケット面を表示していく。
【０００３】
一方、トラックリストとして、楽曲コンテンツに関連するコンテンツ情報（例えば、ＣＤジャケットのアートワーク、アーティスト、楽曲タイトル、ジャンル、ＢＰＭ、楽曲評価、楽曲の長さなど）を１行で表し、各コンテンツ情報を縦方向に列記する表示方法が知られている。この表示方法では、複数のコンテンツのコンテンツ情報を同時に視認できるため、閲覧しやすいといったメリットがある。
【先行技術文献】
【特許文献】
【０００４】
【特許文献１】特開２００８−９７６３８号公報
【発明の概要】
【発明が解決しようとする課題】
【０００５】
ところが、特許文献１の表示方法では、ＣＤジャケットのみを表示しているため、楽曲コンテンツに関連するコンテンツ情報を殆ど表示することができない。したがって、コンテンツ情報を閲覧しづらいといった問題がある。一方、トラックリストの表示では、コンテンツ情報の閲覧は容易であるものの、アートワークを視認しづらいといった問題がある。つまり、トラックリストではコンテンツ情報が１行で表示されるため、アートワークの表示幅（縦方向の長さ）が１行分しか確保できず、アートワークの全体が表示できない。その解決策として、コンテンツ情報を表示する１行の幅を広くとることが考えられるが、１行の幅を広くすると、トラックリストに表示可能なトラック数が少なくなってしまうため、閲覧性に劣ってしまう。
【０００６】
本発明は、上記の問題点に鑑み、コンテンツ情報の閲覧性を犠牲にすることなくコンテンツ画像（アートワーク）の視認性を向上させることが可能な表示装置、表示装置の制御方法およびプログラムを提供することを課題とする。
【課題を解決するための手段】
【０００７】
本発明の表示装置は、各コンテンツに関連するコンテンツ画像を含み且つ所定の幅を有する単位領域を、その幅方向に並べて表示するコンテンツ一覧表示部と、隣り合う単位領域に表示されるコンテンツ画像が同一か否かを判別する画像判別部と、画像判別部の判別結果に基づき、同一のコンテンツ画像が表示される単位領域を複合した複合領域単位で、当該コンテンツ画像を表示する表示制御部と、を備えたことを特徴とする。
【０００８】
上記の表示装置において、表示制御部は、複合領域の幅方向における長さが、所定サイズのコンテンツ画像の縦または横の長さよりも長い場合、当該所定サイズのコンテンツ画像を複合領域内に繰り返し表示することを特徴とする。
【０００９】
上記の表示装置において、表示制御部は、複合領域の幅方向における長さが、所定サイズのコンテンツ画像の縦または横の長さよりも長い場合、当該所定サイズのコンテンツ画像を１つだけ複合領域の中央に表示することを特徴とする。
【００１０】
上記の表示装置において、表示制御部は、複合領域の幅方向における長さが、所定サイズのコンテンツ画像の縦または横の長さよりも長い場合、複合領域全体に当該コンテンツ画像の全体を表示できるように、当該コンテンツ画像のサイズおよびアスペクト比を変更することを特徴とする。
【００１１】
上記の表示装置において、コンテンツ一覧表示部は、単位領域を縦方向に列記すると共に、各単位領域と同一行に、対応するコンテンツのコンテンツ関連情報を表示することを特徴とする。
【００１２】
上記の表示装置において、コンテンツ一覧表示部は、単位領域または複合領域の幅方向における長さが、所定サイズのコンテンツ画像の縦方向の長さよりも短い場合、当該所定サイズのコンテンツ画像の上端から、単位領域または複合領域の幅方向における長さ分だけ表示することを特徴とする。
【００１３】
上記の表示装置において、表示制御部は、単位領域または複合領域の幅方向における長さが、所定サイズのコンテンツ画像の縦または横の長さよりも短い場合、単位領域内または複合領域内で、当該所定サイズのコンテンツ画像を幅方向に自動スクロール表示することを特徴とする。
【００１４】
上記の表示装置において、表示制御部は、単位領域または複合領域に表示されたコンテンツ画像の選択操作により、当該コンテンツ画像の全体を、単位領域外または複合領域外に表示することを特徴とする。
【００１５】
上記の表示装置において、表示制御部は、複合領域がＮ個以上（但し、Ｎは２以上の整数）の単位領域から構成される場合であって、複合領域の幅方向における長さが、所定サイズのコンテンツ画像の縦または横の長さよりも短い場合、規定のアスペクト比でコンテンツ画像の全体を表示できるように、当該コンテンツ画像のサイズを縮小することを特徴とする。
【００１６】
本発明の表示装置の制御方法は、各コンテンツに関連するコンテンツ画像を含み且つ所定の幅を有する単位領域を、その幅方向に並べて表示するコンテンツ一覧表示ステップと、隣り合う単位領域に表示されるコンテンツ画像が同一か否かを判別する画像判別ステップと、画像判別ステップの判別結果に基づき、同一のコンテンツ画像が表示される単位領域を複合した複合領域単位で、当該コンテンツ画像を表示する表示制御ステップと、を実行することを特徴とする。
【００１７】
本発明のプログラムは、コンピューターに、上記の表示装置の制御方法における各ステップを実行させることを特徴とする。
【図面の簡単な説明】
【００１８】
【図１】本発明の一実施形態に係る表示装置の機能構成を示すブロック図である。
【図２】表示装置により表示されるＧＵＩレイアウトの一例を示す図である。
【図３】（ａ）は、単位領域単位でアートワークを表示した場合の表示例を示す図であり、（ｂ）は、複合領域単位でアートワークを表示した場合の表示例を示す図である。
【図４】（ａ）は、単位領域単位でアートワークを表示した場合の表示例を示す図であり、（ｂ）は、複合領域の縦方向の長さがアートワークの縦方向の長さよりも長い場合の表示例を示す図である。
【図５】表示処理の流れを示すフローチャートである。
【図６】（ａ）は、単位領域単位でアートワークを表示した場合の表示例を示す図であり、（ｂ）は、変形例１に係る複合領域の縦方向の長さがアートワークの縦方向の長さよりも長い場合の表示例を示す図である。
【図７】（ａ）は、単位領域単位でアートワークを表示した場合の表示例を示す図であり、（ｂ）は、変形例２に係る複合領域の縦方向の長さがアートワークの縦方向の長さよりも長い場合の表示例を示す図である。
【図８】変形例３に係る複合領域の縦方向の長さがアートワークの縦方向の長さよりも短い場合の表示例を示す図である。
【図９】変形例４に係るＧＵＩレイアウトの表示例を示す図である。
【図１０】（ａ）は、単位領域単位でアートワークを表示した場合の表示例を示す図であり、（ｂ）は、変形例５に係る複合領域の縦方向の長さがアートワークの縦方向の長さよりも短い場合の表示例を示す図である。
【図１１】単位領域の形状についての変形例を示す図である。
【図１２】単位領域間に間隙が存在する場合のアートワーク表示領域の表示例を示す図である。
【発明を実施するための形態】
【００１９】
以下、本発明の一実施形態に係る表示装置、表示装置の制御方法およびプログラムについて、添付図面を参照しながら詳細に説明する。本実施形態では、本発明の表示装置を、ＤＪ（Disc  Jockey）がパフォーマンスおよびその仕込み作業（前準備）に用いるＤＪ用アプリケーションによって実現する場合を例示する。また、コンテンツとして楽曲コンテンツ（音楽コンテンツ）を例示する。
【００２０】
図１は、本発明の一実施形態に係る表示装置１のブロック図である。表示装置１は、主な機能構成として、操作部１１０、表示制御部１２０、コンテンツ情報記憶部１３０、検索・ソート部１４０、画像判別部１５０およびコンテンツ一覧表示部１６０を備えている。本実施形態の表示装置１は、例えばＰＣ（Personal  Computer）であり、ディスプレイ、キーボード、マウス、ハードディスクドライブ、ＣＰＵ（Central  Processing  Unit）等の制御機構など、一般的なハードウェアを備えている（いずれも図示省略）。また、図１に示した各部（機能構成）は、ハードディスクドライブに格納された上記のＤＪ用アプリケーションによって実現される。
【００２１】
操作部１１０は、主に楽曲コンテンツの検索やソートを行うための各種操作を行う。表示制御部１２０は、ディスプレイに表示されるＧＵＩ（Graphical  User  Interface）の表示制御を行う。
【００２２】
コンテンツ情報記憶部１３０は、各楽曲コンテンツに関連するコンテンツ情報（コンテンツ関連情報）を記憶する。コンテンツ情報としては、アートワーク（アルバムジャケットの画像など，請求項における「コンテンツ画像」に相当）、アーティスト、楽曲タイトル、ジャンル、ＢＰＭ、キー（調性）、楽曲評価、楽曲の長さ、楽曲波形などを記憶する。なお、コンテンツ情報記憶部１３０は、表示装置１の内部ではなく、表示装置１と通信可能な外部装置（インターネット上のサーバーやＵＳＢデバイスなど）に設けても良い。
【００２３】
検索・ソート部１４０は、コンテンツ情報記憶部１３０を参照して、コンテンツ情報の検索・ソートを行う。コンテンツ情報の検索は、キーワード入力による絞り込み検索、アーティストやジャンルの指定による絞り込み検索、などが考えられる。また、コンテンツ情報のソートは、指定されたソート条件（アーティスト、楽曲タイトル、ジャンル、ＢＰＭ、キーなど）に基づいて、コンテンツ情報（トラックリストにおける各トラック）の並び替えを行う。
【００２４】
コンテンツ一覧表示部１６０は、各楽曲コンテンツに関連するコンテンツ情報を１行で表し、且つ各コンテンツ情報を列方向に配列して表示する（トラックリスト表示部４４，図２参照）。コンテンツ情報には、各楽曲コンテンツのアートワークが含まれ、各アートワークは、列方向に短い（幅が狭い）長方形の領域（以下、「単位領域Ｅ１」と称する，図２等参照）に表示される。また、各単位領域Ｅ１は、その上辺および／または下辺が隣り合う単位領域Ｅ１と接した状態で、列方向に配列される。なお、本実施形態において、行方向とは、図２における横方向を指し、列方向とは、図２における縦方向を指す。また、当該縦方向は、請求項における「単位領域の幅方向」に相当する。
【００２５】
画像判別部１５０は、隣り合う単位領域Ｅ１に表示されるアートワークが同一か否かを判別する。同一か否かの判別は、（１）コンテンツ情報（アルバム名、アーティスト名、アートワークのファイル名など）の同一性または類似性に基づく判別、（２）アートワーク上の一点または複数の点における画素の同一性または類似性に基づく判別、（３）アートワークのファイルサイズとファイルの内容を示すデータの一部の比較に基づく判別、のいずれか、または２以上の組合せによって行う。
【００２６】
表示制御部１２０は、画像判別部１５０の判別結果に基づき、同一のアートワークが表示される単位領域Ｅ１を複合した複合領域Ｅ２単位で、当該アートワークを表示する。また、複合領域Ｅ２の縦方向における長さが、所定サイズのアートワークの縦の長さよりも長い場合、当該所定サイズのアートワークを繰り返し表示する（図４参照）。詳細については後述する。
【００２７】
次に、図２を参照し、ＤＪ用アプリケーションの一機能として表示装置１のディスプレイに表示されるＧＵＩについて説明する。同図に示すように、ＧＵＩは、プレーヤー表示部４１およびブラウズ部４２から成る。
【００２８】
プレーヤー表示部４１は、キューボタン８１、再生／一時停止ボタン８２、第１プレーヤー表示領域８３および第２プレーヤー表示領域８４を含む。キューボタン８１は、キューポイントの設定に用いられる。再生／一時停止ボタン８２は、再生中の楽曲コンテンツを再生または一時停止するために用いられる。第１プレーヤー表示領域８３は、再生中の楽曲の時間表示、ＢＰＭ（Beats  Per  Minute）、全体波形などを表示する。また、第２プレーヤー表示領域８４は、再生中の楽曲コンテンツの拡大波形、拍位置（ビートグリッド）などを表示する。
【００２９】
一方、ブラウズ部４２は、フォルダ表示部４３およびトラックリスト表示部４４から成る。フォルダ表示部４３は、ＤＪ用アプリケーションに登録した楽曲コレクション、過去に作成したプレイリスト、読み出し可能な記憶デバイス等をツリー形式で表示する。トラックリスト表示部４４は、このフォルダ表示部４３から選択した楽曲コンテンツ群（トラックリスト）を表示する。
【００３０】
トラックリスト表示部４４は、縦方向において、表示項目名を示す項目領域５１と、コンテンツ情報が配列表示されるコンテンツ情報領域５２と、に区別される。また、横方向において、アートワークを表示するアートワーク領域６１と、アートワーク以外のコンテンツ情報（同図の例では、楽曲タイトル、アーティスト、アルバム、ジャンル）をテキスト表示するテキスト領域６２と、に区別される。
【００３１】
次に、図３および図４の具体例を参照し、表示制御部１２０の表示制御について詳述する。両図において、（ａ）（矢印の元側）は、本発明の表示処理を行わない場合のアートワーク領域６１の表示を示す。また、（ｂ）（矢印の先側）は、本発明の表示処理を行った場合のアートワーク領域６１の表示を示す。
【００３２】
表示制御部１２０は、検索・ソート部１４０によりトラックリスト表示部４４をソートした結果（特に、アルバム名でソートした場合など）、図３（ａ）に示すような結果が得られる場合、図３（ｂ）に示す表示となるように表示処理を行う。つまり、画像判別部１５０により、同一のアートワークが表示される単位領域Ｅ１が複数連続すると判別された場合、それら複数の単位領域Ｅ１を連結した領域である複合領域Ｅ２単位でアートワークを表示する。
【００３３】
例えば、図３の例では、上から３つの単位領域Ｅ１が同じアートワーク（太陽のマーク）であるため、これら３つの単位領域Ｅ１を複合した複合領域Ｅ２に、そのアートワークを表示する。また、上から４つ目と５つ目の単位領域Ｅ１が同じアートワーク（２つの月のマーク）であるため、これら２つの単位領域Ｅ１を複合した複合領域Ｅ２に、そのアートワークを表示する。但し、複合領域Ｅ２の縦の長さが、そのアートワークの縦の長さよりも短いため（複合領域Ｅ２内にアートワークの全体を表示できないため）、アートワークの上端から、複合領域Ｅ２の縦方向における長さ分だけ表示する。さらに、最下段の単位領域Ｅ１は、隣り合う単位領域Ｅ１に同じアートワーク（箱のマーク）が存在しないため、複合化されず、そのままの表示となる。この場合も、単位領域Ｅ１の縦の長さが、アートワークの縦の長さよりも短くなるため、アートワークの一部のみ（アートワークの上端から単位領域Ｅ１の幅分だけ）表示する。
【００３４】
一方、表示制御部１２０は、検索・ソート部１４０によりトラックリスト表示部４４をソートした結果、図４（ａ）に示すような結果が得られる場合、図４（ｂ）に示す表示となるように表示制御を行う。同図において、符号７１は、所定サイズのアートワーク（太陽のマーク）の表示領域外郭を仮想的に示したものであり、アートワーク領域６１に実際に表示されるものではない。
【００３５】
同図の例では、図４（ａ）に示すように、６つの単位領域Ｅ１が同じアートワークであるため、これら６つの単位領域Ｅ１を複合した複合領域Ｅ２を対象に、そのアートワークを表示するが、複合領域Ｅ２の縦の長さがアートワークの縦の長さ（符号７１の長方形の縦の長さ）よりも長くなっている。このため、表示制御部１２０は、複合領域Ｅ２の先端からアートワークを表示可能な数だけ繰り返し表示する。なお、図３および図４に示したように、本実施形態の表示処理では、アートワークのサイズ・アスペクト比および向きを変更しないものとする。
【００３６】
次に、図５のフローチャートを参照し、表示装置１による表示処理の流れを説明する。表示装置１は、操作部１１０により検索条件が入力されると（Ｓ０１）、検索・ソート部１４０により、当該検索条件に基づいて楽曲コンテンツの検索を行う（Ｓ０２）。また、予め設定されたソート条件に基づいて検索結果をソートする（Ｓ０３）。
【００３７】
続いて、画像判別部１５０により、隣り合う単位領域Ｅ１のアートワークが同一か否かを判別し（Ｓ０４）、同一である場合は（Ｓ０４：Ｙｅｓ）、表示制御部１２０により、複合領域Ｅ２単位でアートワークを表示する（Ｓ０５）。また、同一でない場合は（Ｓ０４：Ｎｏ）、単位領域Ｅ１単位でアートワークを表示する（Ｓ０６）。その後、コンテンツ一覧表示部１６０（トラックリスト表示部４４）に表示された全楽曲コンテンツ（全トラック）の処理が終了したか否かを判別し（Ｓ０７）、終了した場合は（Ｓ０７：Ｙｅｓ）、表示処理を終了する。また、終了していない場合は（Ｓ０７：Ｎｏ）、Ｓ０４に戻る。
【００３８】
以上説明したとおり、本実施形態によれば、楽曲コンテンツの検索・ソートにより、同一のアートワークが複数個連続する結果となった場合は、それらのアートワークが表示される複数個の単位領域Ｅ１を複合した複合領域Ｅ２単位で、アートワークを表示するため、トラックリストの一項目としてアートワークを最小限のスペースに表示する場合でも、アートワークの視認性を妨げることがない。これにより、コンテンツ情報の閲覧し易さとアートワークの視認し易さの両方を兼ね備えた表示方法を実現できる。
【００３９】
なお、上記の実施形態によらず、以下の変形例を採用可能である。
[変形例１]
上記の実施形態では、複合領域Ｅ２の縦の長さが、アートワークの縦の長さよりも長い場合、複合領域Ｅ２内で当該アートワークを繰り返し表示したが（図４参照）、図６に示すように、複合領域Ｅ２の中央に所定サイズのアートワークを１つだけ表示しても良い。符号７１は、図４の例と同様に、所定サイズのアートワークの表示領域外郭を仮想的に示したものである。なお、特に図示しないが、更なる変形例として、アートワークのアスペクト比および向きを維持した状態で、複合領域Ｅ２に表示可能な最大の大きさで１つのアートワークを表示しても良い。この構成によれば、アートワークの表示数を最低限の数とすることができるため、見た目の煩雑さを解消できる。また、アートワークのアスペクト比が変更されないため、アートワークのイメージが変わることがない。
【００４０】
[変形例２]
また、複合領域Ｅ２の縦の長さが、アートワークの縦の長さよりも長い場合、図７に示すように、複合領域Ｅ２の全体にアートワークの全体を表示できるように、アートワークのサイズおよびアスペクト比を変更して表示しても良い。同図において、符号７２は、アートワークのサイズおよびアスペクト比を変更した場合の表示領域外郭を仮想的に示したものである。なお、同図では、分かりやすく示すため、複合領域Ｅ２の内側にアートワークの表示領域外郭（符号７２）を配置しているが、アートワークの表示領域外郭を複合領域Ｅ２の外郭と一致させても良い。この構成によれば、アートワークの表示数を最低限の数とすることができるため、見た目の煩雑さを解消できる。また、変形例１と比較し、複合領域Ｅ２内に空白が発生しないため、アートワークとコンテンツ情報との関連性が分かりやすい。
【００４１】
[変形例３]
一方、上記の実施形態では、複合領域Ｅ２の縦の長さが、アートワークの縦の長さよりも短い場合、アートワークの上端から、複合領域Ｅ２の縦方向における長さ分だけ表示したが（図３参照）、図８に示すように、複合領域Ｅ２内でアートワークを縦方向（符号７４，７５の矢印方向）に自動スクロール表示させても良い。この構成によれば、ユーザーの操作を必要とすることなく、複合領域Ｅ２内でアートワークの全体を認識できる。なお、特に図示しないが、複合領域Ｅ２内だけではなく単位領域Ｅ１内でも自動スクロール表示させても良い。
【００４２】
[変形例４]
また、図９に示すように、単位領域Ｅ１に表示されたアートワークの選択操作により、当該アートワークの全体を、単位領域Ｅ１外で表示させても良い。同図の例は、符号７６の矢印に示すドラッグ操作により、アートワークの選択操作および表示位置指定を行っている。つまり、ドラッグ元の単位領域Ｅ１に表示されていたアートワークを、ドラッグ先の任意の位置に表示させている。この構成によれば、ユーザーは、ドラッグ操作によりアートワークを引き出して全体を確認することができる。なお、特に図示しないが、ドラッグ先でアートワークを拡大して表示しても良い。また、ドラッグ操作を終えてマウスの左クリックを解除したとき、アートワークを非表示にしても良い。さらに、アートワークがプレーヤー表示部４１にドラッグされたとき、そのアートワークに対応する楽曲コンテンツをロードする構成としても良い。また、アートワークの選択操作は、ドラッグ操作に限らず、マウスのカーソルを単位領域Ｅ１に当てた状態で左クリックする操作でも良い。この場合、予め設定された位置に、アートワークの全体が表示される。
【００４３】
[変形例５]
また、複合領域Ｅ２の縦の長さが、アートワークの縦の長さよりも短い場合、図１０に示すように、規定のアスペクト比でアートワークの全体を表示できるように、アートワークのサイズを縮小させても良い。同図において、符号７８は、アートワークのサイズを縮小した場合の表示領域外郭を仮想的に示したものである。この構成によれば、状況に応じて、ユーザーが最も見やすいアートワークの表示が可能となる。なお、本変形例の適用を、複合領域Ｅ２がＮ個以上（但し、Ｎは２以上の整数）の単位領域Ｅ１から構成される場合に限定しても良い。この構成によれば、アートワークが縮小されすぎて見づらくなることを防止できる。
【００４４】
[その他の変形例]
また、上記に示した各実施形態および各変形例のどれを採用するかについて、環境設定等でユーザーが選択可能としても良い。また、連続する単位領域Ｅ１を複合領域Ｅ２として表示するか（本発明の表示処理を用いるか）、そのまま単位領域Ｅ１として表示するかについて、ユーザーが選択可能としても良い。
【００４５】
また、上記の実施形態では、複合領域Ｅ２の縦の長さ（単位領域Ｅ１の幅方向の長さ）と、アートワークの縦の長さを比較したが、複合領域Ｅ２の縦の長さと、アートワークの横の長さを比較しても良い。また、アートワークのアスペクト比に応じて、アートワークの縦と横のどちらと比較するかを決定しても良い。つまり、複合領域Ｅ２内にアートワークの全体が表示できない場合であって、アートワークが縦長の長方形の場合は、アートワークを横向きに表示することを前提として、複合領域Ｅ２の縦の長さと、アートワークの横の長さを比較し、アートワークが横長の長方形の場合は、アートワークを縦向きに表示することを前提として、複合領域Ｅ２の縦の長さと、アートワークの縦の長さを比較しても良い。
【００４６】
また、上記の実施形態では、図２等に示したように、縦幅の狭い単位領域Ｅ１を縦方向に並べて表示する場合を例示したが、図１１（ａ）に示すように、横幅の狭い単位領域Ｅ１を横方向に並べて表示する場合にも適用可能である。また、単位領域Ｅ１の形状は、必ずしも細長い長方形でなくても良く、図１１（ｂ）に示すように単位領域Ｅ１を正方形とするなど、その形状は問わない。また、単位領域Ｅ１の大きさは必ずしも均一でなくても良く、図１１（ｃ）に示すように、幅の異なる単位領域Ｅ１が配列されている場合にも本発明を適用可能である。
【００４７】
また、必ずしも各単位領域Ｅ１が接した状態で配列されていなくても良く、図１２（ａ）に示すように、単位領域Ｅ１間に間隙Ｅ３がある場合にも本発明を適用可能である。この場合、複合領域Ｅ２は、同一のコンテンツ画像が表示される連続した複数の単位領域Ｅ１と、その単位領域Ｅ１間の間隙Ｅ３を含む領域となる（同図（ｂ）参照）。
【００４８】
また、上記の実施形態では、本発明の表示装置をＰＣに適用した場合を例示したが、スマートフォンなどの各種タブレット端末や携帯電話等に適用しても良い。その他、ＤＪのパフォーマンスに用いられる専用機器（ＤＪコントローラー、ＤＪプレーヤー、ＤＪミキサーなど）に適用しても良い。また、ＤＪ用の専用機器以外にも、各種音楽プレーヤー、音楽再生アプリケーション、電子機器に、本発明の表示装置を適用しても良い。
【００４９】
また、上記に示した表示装置１の各構成要素をプログラムとして提供することが可能である。また、そのプログラムを各種記録媒体（ＣＤ−ＲＯＭ、フラッシュメモリー等）に格納して提供することも可能である。すなわち、コンピューターを表示装置１の各構成要素として機能させるためのプログラム、およびそれを記録した記録媒体も、本発明の権利範囲に含まれる。
【００５０】
また、上記の実施形態では、コンテンツとして楽曲コンテンツを例示したが、映像コンテンツなど他のコンテンツに関連するコンテンツ情報の一覧を表示する場合にも本発明を適用可能である。また、必ずしもコンテンツ情報の一覧を表示する必要はなく、単にコンテンツ画像を複数個連続して表示する場合にも、本発明を適用可能である。その他、本発明の要旨を逸脱しない範囲で、適宜変更が可能である。
【符号の説明】
【００５１】
１：表示装置  ４１：プレーヤー表示部  ４２：ブラウズ部  ４３：フォルダ表示部  ４４：トラックリスト表示部  ５１：項目領域  ５２：コンテンツ情報領域  ６１：アートワーク領域  ６２：テキスト領域  ８１：キューボタン  ８２：再生／一時停止ボタン  ８３：第１プレーヤー表示領域  ８４：第２プレーヤー表示領域  １１０：操作部  １２０：表示制御部  １３０：コンテンツ情報記憶部  １４０：検索・ソート部  １５０：画像判別部  １６０：コンテンツ一覧表示部  Ｅ１：単位領域  Ｅ２：複合領域  Ｅ３：間隙
【図１】
2015158807.tif 000003
【図２】
2015158807.tif 000004
【図３】
2015158807.tif 000005
【図４】
2015158807.tif 000006
【図５】
2015158807.tif 000007
【図６】
2015158807.tif 000008
【図７】
2015158807.tif 000009
【図８】
2015158807.tif 000010
【図９】
2015158807.tif 000011
【図１０】
2015158807.tif 000012
【図１１】
2015158807.tif 000013
【図１２】
2015158807.tif 000014